【事件の表示】
　特許第３２２２９２２号「組付け網戸装置のサッシ枠への取付構造」の請求項１、２に係る特許に対する特許異議の申立てについて、次のとおり決定する。
【結　論】
　訂正を認める。
　特許第３２２２９２２号の請求項１に係る特許を維持する。
【理　由】
〔１〕手続の経緯
　本件特許第３２２２９２２号発明についての出願は、平成４年４月１７日に特許出願され、平成１３年８月１７日にその発明について特許権の設定登録がなされ、その後、古橋由季子より、その請求項１及び２に係る発明についての特許に対し特許異議の申立てがなされ、当審において取消しの理由を通知したところ、その指定期間内の平成１４年１１月２０日に訂正請求がなされた。
　
〔２〕訂正請求について
１　訂正請求の内容
　本件訂正請求の趣旨は、特許第３２２２９２２号の明細書を訂正請求書に添付した訂正明細書のとおり訂正することを求めるものであり、訂正事項は以下のとおりである。
　訂正事項ａ
　明細書の特許請求の範囲の請求項１を削除する。
　訂正事項ｂ
　明細書の特許請求の範囲の請求項２及び３を、「【請求項１】　建物の窓部等のサッシ枠本体に網戸組付け枠部を形成し、この網戸組付け枠部に固定部材と、この固定部材に対して開閉移動可能にした可動部材と、この可動部材と固定部材との間に両端が固定された折畳み伸縮自在なプリーツ状の網目部材と、この網目部材の上下部の折り目間に交互に通される平行なワイヤーを備えかつこのワイヤーを前記固定部材と可動部材との間に掛け渡して前記可動部材の移動方向の揺動を防止可能にしてなるワイヤーテンション機構とで構成された組付け網戸装置本体を組付けてなる一方、この組付け網戸装置本体を構成するワイヤーテンション機構の前記網目部材上部に通されるワイヤーを前記網戸組付け枠部の上枠に複数個の吊支部材を介して吊支させたことを特徴とする組付け網戸装置において、前記吊支部材は、網戸組付け枠部の上枠内に移動自在に係合するローラと、ワイヤーをフック掛け可能なフック部とからなることを特徴とする組付け網戸装置のサッシ枠への取付構造。
　【請求項２】　網戸組付け枠部の上枠内に隙間吸収部材を上下動可能に設け、この隙間吸収部材の下面を組付け網戸装置本体を構成する網目部材の上端部に常に自重にて当接させるとともに、前記隙間吸収部材に吊支部材のローラを係合させたことを特徴とする請求項１記載の組付け網戸装置のサッシ枠への取付構造。」と訂正する。
　訂正事項ｃ
　明細書の発明の詳細な説明の段落【００１０】の記載を、「【課題を解決するための手段】　上記した課題を解決するために、この発明は、建物の窓部等のサッシ枠本体に網戸組付け枠部を形成し、この網戸組付け枠部に固定部材と、この固定部材に対して開閉移動可能にした可動部材と、この可動部材と固定部材との間に両端が固定された折畳み伸縮自在なプリーツ状の網目部材と、この網目部材の上下部の折り目間に交互に通される平行なワイヤーを備えかつこのワイヤーを前記固定部材と可動部材との間に掛け渡して前記可動部材の移動方向の揺動を防止可能にしてなるワイヤーテンション機構とで構成された組付け網戸装置本体を組付けてなる一方、この組付け網戸装置本体を構成するワイヤーテンション機構の前記網目部材上部に通されるワイヤーを前記網戸組付け枠部の上枠に複数個の吊支部材を介して吊支させた組付け網戸装置において、前記吊支部材は、網戸組付け枠部の上枠内に移動自在に係合するローラと、ワイヤーをフック掛け可能なフック部とからなることを特徴とする。」と訂正する。
　
２　訂正の適否
　訂正事項ａは、特許請求の範囲の請求項１を削除するものであるから、特許請求の範囲の減縮を目的とするものである。
　訂正事項ｂは、請求項１の削除にともない、請求項２の記載を独立型式に変更し、請求項３を請求項２のみを引用するものとするとともに、それぞれ新請求項１及び２に繰り上げたものであるから、特許請求の範囲の減縮及び明りょうでない記載の釈明を目的とするものである。　　　
　訂正事項ｃは、特許請求の範囲の訂正に伴い、特許請求の範囲の記載と明細書の発明の詳細な説明の記載との整合を図るための訂正であって、明りょうでない記載の釈明を目的とするものである。
　そして、訂正事項ａ〜ｃは、願書に添付した明細書又は図面に記載した事項の範囲内においてなされたものであり、しかも、実質上特許請求の範囲を拡張し、又は変更するものではない。
　また、訂正事項ｂの請求項３に係る訂正は、異議の申立てがされていない請求項についての訂正であるので、訂正後の請求項２に係る発明が、特許出願の際独立して特許を受けることができるものであるのか否かを検討すると、訂正後の請求項２に係る発明は、請求項１を引用してさらに他の構成を付加するものであるから、後述する訂正後の請求項１に係る発明についてと同様の理由により、特許法２９条の２の規定により特許を受けることができないとすることはできず、また、他に訂正後の請求項２に係る発明が特許を受けることができないとする理由も発見できないので、訂正後の請求項２に係る発明は、特許出願の際独立して特許を受けることができるものである。
　したがって、上記訂正事項ａ〜ｃの訂正は、特許法等の一部を改正する法律（平成６年法律第１１６号）附則６条１項の規定によりなお従前の例によるとされる、特許法１２０条の４第３項において準用する平成６年法律第１１６号による改正前の特許法１２６条１項ただし書、２項及び３項の規定に適合するので、本件訂正を認める。
　
〔３〕特許異議の申立てについて
１　異議申立ての理由の概要
　異義申立人は、請求項１及び２に係る発明についての特許に対し、甲第１号証及び甲第２号証を提出して、請求項１及び２に係る発明は、特許法２９条の２の規定により特許を受けることができないものであるから、それらの特許は取り消されるべきである旨主張する。
　甲第１号証：実願平３−５８５８２号（実開平５−３５９１号）のＣＤ−　　　　　　　ＲＯＭ
　甲第２号証：実願昭５２−３１０８９号（実開昭５３−１２８１１５号）　　　　　　　のマイクロフィルム
　　　
２　本件発明
　上記のとおり明細書の訂正が認められたことにより、請求項１が削除され、請求項２が請求項１に繰り上げられたところ、訂正後の請求項１に係る発明（以下、「本件発明１」という。）は、訂正明細書の特許請求の範囲の請求項１に記載されたとおりの次のものと認める。
「【請求項１】　建物の窓部等のサッシ枠本体に網戸組付け枠部を形成し、この網戸組付け枠部に固定部材と、この固定部材に対して開閉移動可能にした可動部材と、この可動部材と固定部材との間に両端が固定された折畳み伸縮自在なプリーツ状の網目部材と、この網目部材の上下部の折り目間に交互に通される平行なワイヤーを備えかつこのワイヤーを前記固定部材と可動部材との間に掛け渡して前記可動部材の移動方向の揺動を防止可能にしてなるワイヤーテンション機構とで構成された組付け網戸装置本体を組付けてなる一方、この組付け網戸装置本体を構成するワイヤーテンション機構の前記網目部材上部に通されるワイヤーを前記網戸組付け枠部の上枠に複数個の吊支部材を介して吊支させた組付け網戸装置において、
　前記吊支部材は、網戸組付け枠部の上枠内に移動自在に係合するローラと、ワイヤーをフック掛け可能なフック部とからなることを特徴とする組付け網戸装置のサッシ枠への取付構造。」
　
３　引用考案
　当審が通知した取消しの理由に引用した、本件特許に係る出願前の出願であって、本件特許に係る出願後に公開された実願平３−５８５８２号（実開平５−３５９１号）の願書に最初に添付した明細書又は図面（甲第１号証参照。以下、「先願明細書」という。）には、以下の記載がある。
　ａ「【０００１】【産業上の利用分野】本考案は、ネットをアコーディオン式に伸縮させることによって建物開口部を開閉する折り畳み式網戸に関するものである。」
　ｂ「【０００７】【課題を解決するための手段】上記課題を解決するため、本考案の防虫網戸は、多数のプリーツを施すことによりアコーディオン式に伸縮自在となしたネットを、網戸枠の一辺を構成する収納ケース内に収容し、該ネットの先端に開閉操作用の操作框を取り付け、前記収納ケース内にはスプリングを駆動源とする巻取ローラを設け、該巻取ローラに紐を巻き付けて該紐の先端を前記操作框に固定することにより、前記ネットを常時開放方向に付勢させ、該ネットを、収納ケースから引き出して建物開口部を閉鎖したときの各プリーツの折角が６０〜９０度になるような長さに形成したことを特徴とするものである。」
　ｃ「【０００９】【作用】上記防虫網戸は、ネットをアコーディオン式に伸縮させることによって開閉される。従って、該ネットを巻き取るための巻取軸が不要である。また、前記ネットの長さを、該ネットを収納ケースから引き出した閉鎖状態において各プリーツの折角が６０〜９０度になるような大きさに形成したから、プリーツによる補強効果によってネットの強度が高くなり、風圧等の作用により該ネットが不必要にネット面に垂直な方向に膨出、変形してアコーディオン式の折り畳み状態が崩れるのが防止される。……」
　ｄ「【００１１】前記網戸枠１は、ネット２の収容部５ａを備えた断面略Ｈ字形の収納ケース５と、断面略コ字形の部材の内壁面に一対のレール７，７を有し、該レール７，７から上側の部分６ａが硬質合成樹脂により、下側の部分６ｂが軟質合成樹脂により形成された上枠６と、断面溝形の下枠８と、前記収納ケース５の反対側に位置する框受け９とにより構成されている。
【００１２】また、前記ネット２は、多数のプリーツをジグザグ状に施すことによりアコーディオン式に伸縮自在としたもので、該ネット２の基端は前記収納ケース５に固定され、該ネット２の先端には開閉操作用の操作框１０が取り付けられ、該操作框１０の上端と、ネット２の中間に固定された振れ止め板１１の上端には、それぞれランナー１２が取り付けられ、これらのランナー１２が前記上枠６のレール７，７上に転動自在に載置されることにより、該ネット２が上枠６に開閉自在に吊下されている。
【００１３】前記ネット２の上下には、プリーツで挟まれた短冊状の各折曲片２ａを貫通するように紐１５，１５が挿通され、該紐１５，１５の先端が前記操作框１０に固定されており、一方、前記収納ケース５の内部には、各紐１５，１５と対応する位置に、スプリングを駆動源とする巻取ローラ１６，１６がそれぞれ配設され、これらの巻取ローラ１６，１６に前記紐１５，１５の基端がそれぞれ巻き付けられており、これらの紐１５，１５を介して前記ネット２がスプリングの付勢力で常時開放方向（折り畳まれる方向）に付勢されている。そして、操作框１０でネット２を収納ケース５から引き出して建物開口部を閉鎖すると、紐１５，１５を介して巻取ローラ１６，１６のスプリングにエネルギーが蓄積され、ネット２を折り畳んで開放する時、このスプリングに蓄積されたエネルギーにより紐１５，１５を介してネット２が自動的に折り畳まれるようになっている。」
　そして、図３には、ネット２の上下部の折り目間に交互に通された平行な紐１５が示されており、図１及び図３には、振れ止め板１１の上端に紐１５が挿通された態様が示されている。また、網戸枠１が建物の窓部等のサッシ枠本体に取り付けられることは自明である。以上のことから、先願明細書には、次の発明が記載されているものと認められる。
「建物の窓部等のサッシ枠本体に、収納ケース５と上枠６と下枠８と框受け９とからなる網戸枠１を取付け、収納ケース５とそれに対し開閉移動可能な操作框１０との間に折り畳み伸縮自在なプリーツ状のネット２が固定され、ネット２の上下部の折り目間に交互に紐１５が通され、この紐１５の一端が操作框１０に固定され、他端が前記収納ケース５の内部に配設されたスプリングを駆動源とする巻取ローラ１６，１６に巻き付けられており、紐１５が挿通された振れ止め板１１の上端にランナー１２が取り付けられ、このランナー１２を上枠６のレール７，７上に載置した、網戸のサッシ枠への取付構造。」（以下、「引用考案」という。）
　　
４　対比・判断
　本件発明１と引用考案とを対比すると、引用考案の、建物の窓部等のサッシ枠本体に、上枠６と下枠８と框受け９を取付ける構成は、本件発明１の「建物の窓部等のサッシ枠本体に網戸組付け枠部を形成し」に相当し、引用考案の「収納ケース５」、「操作框１０」及び「ネット２」は、それぞれ本件発明１の「固定部材」、「可動部材」及び「網目部材」に相当する。引用考案の「ネット２の上下部の折り目間に交互に紐１５が通され、この紐１５の一端が操作框１０に固定され、他端が前記収納ケース５の内部に配設されたスプリングを駆動源とする巻取ローラ１６，１６に巻き付けられて」なる構成と、本件発明１の「可動部材の移動方向の揺動を防止可能にしてなるワイヤーテンション機構」は、「可動部材の移動方向の揺動を防止可能にしてなる線状体テンション機構」の点で共通し、引用考案における、収納ケース５、操作框１０、ネット２及び巻取ローラ１６，１６に巻き付けられてなる紐１５とで構成されるものは、本件発明１の「組付け網戸装置本体」に相当し、引用考案の「振れ止め板１１」と「ランナー１２」は、本件発明１の「吊支部材」に相当し、引用考案の「ランナー１２」は本件発明１の「ローラ」に相当し、引用考案の「紐１５が挿通された振れ止め板１１の上端にランナー１２が取り付けられ、このランナー１２を上枠６のレール７，７上に載置した」と、本件発明１の「ワイヤーを前記網戸組付け枠部の上枠に吊支部材を介して吊支させた」は、「線状体を前記網戸組付け枠部の上枠に吊支部材を介して吊支させた」点で共通する。そうすると、両者は、
「建物の窓部等のサッシ枠本体に網戸組付け枠部を形成し、この網戸組付け枠部に固定部材と、この固定部材に対して開閉移動可能にした可動部材と、この可動部材と固定部材との間に両端が固定された折畳み伸縮自在なプリーツ状の網目部材と、この網目部材の上下部の折り目間に交互に通される平行な線状体を備えかつこの線状体を前記固定部材と可動部材との間に掛け渡して前記可動部材の移動方向の揺動を防止可能にしてなる線状体テンション機構とで構成された組付け網戸装置本体を組付けてなる一方、この組付け網戸装置本体を構成する線状体ワイヤーテンション機構の前記網目部材上部に通される線状体を前記網戸組付け枠部の上枠に複数個の吊支部材を介して吊支させた組付け網戸装置のサッシ枠への取付構造。」
である点で一致し、次の点で相違する。
　相違点１
　本件発明１は、吊支部材が複数個あるのに対し、引用考案は、吊支部材が１個である。
　相違点２
　線状体が、本件発明１では、ワイヤーであるのに対し、引用考案では、紐である。
　相違点３
　吊支部材が、本件発明１では、網戸組付け枠部の上枠内に移動自在に係合するローラと、ワイヤーをフック掛け可能なフック部とからなるのに対し、引用考案では、網戸組付け枠部の上枠内に移動自在に係合するローラと、振れ止め板とからなる。
　
　上記相違点１について検討すると、引用考案において、吊支部材（振れ止め板）は中央部に１個しか設けられないというものではなく、網目部材（ネット）の長さに応じて適宜個数設けられるものであり、１個とするか複数個とするかは、当業者が必要に応じ適宜選択できる事項であり、上記相違点１は構成上の微差にすぎない。
　上記相違点２について検討すると、線状体を紐とするかワイヤーとするかは、単なる材料の選択にすぎず、上記相違点２は構成上の微差にすぎない。
　上記相違点３について検討すると、異議申立人が「カーテン等のスクリーンやそれに付属する紐を、付け外しの便宜等を考慮して、ランナー及びフックからなる複数の吊支部材で吊支することは、本件特許の出願前に周知慣用の技術であった」として提出した甲第２号証には、引き紐によりカーテンを開閉させるカーテン開閉装置の紐を支持するフック状のガイド溝を形成したカーテンランナー、が記載されているが、当該フック状のガイド溝は、引き紐を掛けるようになっているものであって、本件発明１のように、網目部材上部に通される線状体を掛けるようになっているものではないから、相違点３における本件発明１の構成が本件特許に係る出願前に周知慣用の技術であるということはできない。
　したがって、本件発明１は引用考案と同一であるとすることはできない。
　
〔４〕むすび
　以上のとおりであるから、異議申立人の主張する理由及び提出した証拠方法によっては、本件発明１についての特許を取り消すことはできない。
　また、他に本件発明１についての特許を取り消すべき理由を発見しない。
　よって、結論のとおり決定する。
【異議決定日】
平成１５年５月７日（２００３．５．７）
【訂正の要旨】
イ）　本件特許に係る請求項１を削除する。
ロ）　本件特許に係る請求項２を請求項１に、請求項３を請求項２にそれぞれ訂正する。
ハ）　上記イ、ロの訂正に伴い、特許請求の範囲の記載と発明の詳細な説明の記載との整合を図るため、明りょうではない記載の釈明を目的として、段落「００１０」を、訂正明細書の通り訂正する。
（５４）【発明の名称】
組付け網戸装置のサッシ枠への取付構造
（５７）【特許請求の範囲】
　【請求項１】
　建物の窓部等のサッシ枠本体に網戸組付け枠部を形成し、この網戸組付け枠部に固定部材と、この固定部材に対して開閉移動可能にした可動部材と、この可動部材と固定部材との間に両端が固定された折畳み伸縮自在なプリーツ状の網目部材と、この網目部材の上下部の折り目間に交互に通される平行なワイヤーを備えかつこのワイヤーを前記固定部材と可動部材との間に掛け渡して前記可動部材の移動方向の揺動を防止可能にしてなるワイヤーテンション機構とで構成された組付け網戸装置本体を組付けてなる一方、この組付け網戸装置本体を構成するワイヤーテンション機構の前記網目部材上部に通されるワイヤーを前記網戸組付け枠部の上枠に複数個の吊支部材を介して吊支
させた組付け網戸装置において、
　前記吊支部材は、網戸組付け枠部の上枠内に移動自在に係合するローラと、ワイヤーをフック掛け可能なフック部とからなることを特徴とする組付け網戸装置のサッシ枠への取付構造。
　【請求項
２
　網戸組付け枠部の上枠内に隙間吸収部材を上下動可能に設け、この隙間吸収部材の下面を組付け網戸装置本体を構成する網目部材の上端部に常に自重にて当接させるとともに、前記隙間吸収部材に吊支部材のローラを係合させたことを特徴とする
請求項１記載の
【発明の詳細な説明】
　【０００１】
　【産業上の利用分野】
　この発明は、例えば一般住宅などの建物の窓部等に組付けられる組付け網戸装置のサッシ枠への取付構造に関するものである。
　【０００２】
　【従来の技術】
　従来の網戸においては、例えば建物の窓部等の開口枠を形成するサッシ枠に、単体枠の全面に網目部材が張られた戸本体を、例えば引違い戸と共にスライド自在に組付けてなる構成を有するものがある。
　【０００３】
　しかしながら、このような従来構造の網戸にあっては、使用期間が夏時期などに限られて短く、しかも、戸本体が全面に網目部材を張った単体枠からなるために、保管に際して、雨戸収納用の戸袋が付設されたサッシ枠では、戸袋を保管場所として利用しているものであるが、戸袋が無いものでは、サッシ枠から戸本体を取外して物置に収納したり、テラスやベランダなどに放置したり、あるいは、そのままサッシ枠に組付けた状態で放置しているのが現状である。
　【０００４】
　このため、従来では、網戸の保管収納場所に困り、特に、網戸をサッシ枠に組付けた状態で放置してなる場合には、網目部材の網目に塵や埃等が付着して汚れが目立ち易く、これによって、室内外の美観性を損なうばかりでなく、例えばテラスやベランダなどに通じるサッシ枠に組付けてなるものでは、出入りの邪魔になるとともに、網目によって室内への採光量が規制されてしまう。
　【０００５】
　また、網戸の使用に際して、戸本体の幅寸法が引違い戸の幅寸法に応じて固定されていることから、網戸自体による開閉調整が不可能であり、引違い戸の開閉幅に応じた網目幅しか使用することができず、これによって、引違い戸の全開状態では、対接する互いの枠間の密封性を保つことができるが、引違い戸の半開状態では、互いの枠間のずれによる隙間が生じ、この隙間から蚊や虫等が室内に侵入する。
　【０００６】
　そこで、本出願人は、上記した従来の不具合を解消するために、平成４年２月２８日付にて出願した特願平４−７５９５３号等に開示してなる組付け網戸装置を提案した。
　【０００７】
　この先願発明によれば、固定部材と、この固定部材に対して開閉移動可能にした可動部材と、この可動部材と固定部材との間に両端が固定された折畳み伸縮自在なプリーツ状の網目部材とからなる組付け網戸装置本体を、建物の窓部等のサッシ枠本体に形成した網戸組付け枠部に組付けてなる構成を有する。
　【０００８】
　【発明が解決しようとする課題】
　ところが、上記先願発明の組付け網戸装置は、網目部材が風圧によって揺動し易いために、網目部材の上端部がサッシ枠本体の上枠内から食み出して、それらの間に隙間が発生するという問題があった。
　【０００９】
　【発明の目的】
　この発明の目的は、風圧等による網目部材の揺動を確実に防止し、上枠との間に隙間が発生することがないようにした組付け網戸装置のサッシ枠への取付構造を提供することにある。
　【００１０】
　【課題を解決するための手段】
上記した課題を解決するために、この発明は、建物の窓部等のサッシ枠本体に網戸組付け枠部を形成し、この網戸組付け枠部に固定部材と、この固定部材に対して開閉移動可能にした可動部材と、この可動部材と固定部材との間に両端が固定された折畳み伸縮自在なプリーツ状の網目部材と、この網目部材の上下部の折り目間に交互に通される平行なワイヤーを備えかつこのワイヤーを前記固定部材と可動部材との間に掛け渡して前記可動部材の移動方向の揺動を防止可能にしてなるワイヤーテンション機構とで構成された組付け網戸装置本体を組付けてなる一方、この組付け網戸装置本体を構成するワイヤーテンション機構の前記網目部材上部に通されるワイヤーを前記網戸組付け枠部の上枠に複数個の吊支部材を介して吊支
させた組付け網戸装置において、前記吊支部材は、網戸組付け枠部の上枠内に移動自在に係合するローラと、ワイヤーをフック掛け可能なフック部とからなることを特徴とする。
　【００１１】
　【作用】
　すなわち、この発明は、上記の構成を採用することにより、組付け網戸装置本体を固定部材と、可動部材と、この可動部材と前記固定部材との間に前記可動部材の開閉移動に追従して折畳み伸縮自在なプリーツ状の網目部材とで構成してなるために、建物の窓部等のサッシ枠に固定部材を固定して組付け、かつ、可動部材を開閉移動自在に組付けるだけで、網戸として利用可能になり、しかも、サッシ枠への組付けが容易にかつ簡便に行なえる。
　【００１２】
　また、組付け網戸装置本体に、網目部材の上下部の折り目間に交互に通される平行なワイヤーを備え、かつこのワイヤーを固定部材と可動部材との間に掛け渡して前記可動部材の移動方向の揺動を防止可能にしてなるワイヤーテンション機構を設けるとともに、このワイヤーテンション機構の前記網目部材上部に通されるワイヤーを前記網戸組付け枠部の上枠に複数個の吊支部材を介して吊支させてなるために、網目部材の上端部が風圧によって揺動することがない。
　【００１３】
　【実施例】
　以下、この発明を図示の実施例を参照しながら詳細に説明すると、図２はこの発明に係る組付け網戸装置が組付けられた建物のテラスなどの窓部を示し、図中１は窓部の開口枠を形成するサッシ枠本体である。
　【００１４】
　このサッシ枠本体１は、図１、図３及び図４に示すように、互いに対向する左右一対の縦枠２，３と上下横枠４，５とからなる枠組み構成を有するとともに、第１及び第２の引違い戸用の戸枠部６，７と、雨戸用の戸枠部８とが室内側から室外側に向け順に一体形成されているとともに、前記室外側戸枠部７と雨戸用の戸枠部８との間には、後述する組付け網戸装置本体２０が両開き状に組み込まれる網戸組付け枠部９が一体形成されている。
　【００１５】
　そして、前記サッシ枠本体１の第１及び第２の戸枠部６，７の上下ガイドレール６Ａ，６Ｂ及び７Ａ，７Ｂには、左右横方向Ｘに向け横引き開閉自在な左右一対の引違い戸１００，２００が、また、前記雨戸用の戸枠部８には雨戸３００がそれぞれ開閉移動自在に組み込まれている。
　【００１６】
　すなわち、上記した組付け網戸装置本体２０は、図５に示すように、第１及び第２の固定部材２１，２２と第１及び第２の可動部材２３，２４を備え、これらの第１及び第２の固定部材２１，２２と第１及び第２の可動部材２３，２４との間には、一端部２５ａ及び２６ａを前記第１及び第２の固定部材２１，２２側に固着しかつその他端部２５ｂ及び２６ｂを前記１及び第２の可動部材２３，２４側にそれぞれ固着したポリエステル樹脂等の糸で編成してなる第１及び第２のプリーツ状の網目部材２５，２６が設けられている。
　【００１７】
　この第１及び第２の網目部材２５，２６は、前記第１及び第２の可動部材２３，２４の左右横方向の開閉移動（図２、図４及び図５に示す実線矢印Ｘ方向）に追従して折畳み伸縮自在にそれぞれ片開き状に横引きすることにより、両開き可能になっているとともに、前記第１及び可動部材２３，２４の閉状態において、前記第１及び第２の固定部材２１，２２及び第１及び第２の可動部材２３，２４に対向させた収納空間２１Ａ，２３Ａ及び２２Ａ，２４Ａの少なくともいずれか一方に折畳み収納可能になっている。
　【００１８】
　また、前記組付け網戸装置本体２０を構成する第１及び第２の可動部材２３，２４には、ワイヤーテンション機構３０が設けられ、このワイヤーテンション機構３０は、図６に示すような構成となっている。
　【００１９】
　すなわち、一端３１ａが第１の固定部材２１の上部に第１の固定具Ａにて固定された１本のワイヤー３１を、第１の固定部材２１と第１の可動部材２３との間に平行に延出させ、かつ、第１の固定部材２１と第１の可動部材２３との間の第１の網目部材２５上部の折り目間に交互に通して掛け渡す。
　【００２０】
　この第１の網目部材１５上部の折り目間に交互に通された平行な第１の平行ワイヤー３１Ａは、第１の可動部材２３の上部に挿入されて下部に向け折り返され、この第２の折返しワイヤー３１Ｂは、第１の可動部材２３の下端部から第２の可動部材２４の下端部に向け平行に延出されるとともに、この第３の平行な延出ワイヤー３１Ｃを第２の可動部材２４内の下端部から挿入し、これら第１，第２及び第３のワイヤー３１Ａ，３１Ｂ，３１ＣとでＺ型を呈するように掛け渡す。
　【００２１】
　このように、Ｚ型を呈するように掛け渡されて第２の可動部材２４内の下端部から挿入された第３の延出ワイヤー３１Ｃは、上方に向け折り返されるとともに、この第４の折返しワイヤー３１Ｄは、前記第２の可動部材２４の上部から第２の固定部材２２の上部に向け平行に延出され、かつ、第２の固定部材２２と第２の可動部材２４との間の第２の網目部材２６上部の折り目間に交互に通して、この第５の平行な延出ワイヤー３１Ｅと前記第３及び第４のワイヤー３１Ｃ，３１ＤとでＺ型を呈するように掛け渡す。
　【００２２】
　さらに、第２の網目部材２６の折り目間に交互に通された第５の平行な延出ワイヤー３１Ｅは、第２の固定部材２２の上部に挿入されて下方に向け折り返され、この第６の折返しワイヤー３１Ｆは、前記第２の固定部材２２の下部から第２の可動部材２４の下部に向け平行に延出され、かつ、第２の固定部材２２と第２の可動部材２４との間の第２の網目部材２６下部の折り目間に交互に通して掛け渡される。
　【００２３】
　この第７の平行な延出ワイヤー３１Ｇは、前記第２の可動部材２４の下部に再び挿入されて上方に向け折り返され、この第８の折返しワイヤー３１Ｈを前記第２の可動部材２４の上端部から第１の可動部材２３の上端部に向け平行に延出させる。
　【００２４】
　さらに、この第９の平行な延出ワイヤー３１Ｉは、前記第１の可動部材２３の上端部から挿入されて下方に向け折り返され、かつ、この第１０の折返しワイヤー３１Ｊを前記第１の可動部材２３の下部から第１の固定部材２１の下部に向け平行に延出させるとともに、第１の固定部材２１と第１の可動部材２３との間の第１の網目部材２５下部の折り目間に交互に通し、この第１１の平行な延出ワイヤー３１Ｋと前記第９のワイヤー３１Ｉ及び第１０のワイヤー３１ＪとでＺ型を呈するように掛け渡す。
　【００２５】
　そして、前記第１１の平行な延出ワイヤー３１Ｋの延出端、すなわち、ワイヤー３１の他端３１ｂは、前記第１及び第２の可動部材２３，２４に対するワイヤー２１の張力が、第１及び第２の可動部材２３，２４の上下部に均等に作用するように調整した後、第２の固定具Ｂにて固定するとともに、前記第１の可動部材２３の下端部から第２の可動部材２４の下端部に向け平行に延出された第３の平行な延出ワイヤー３１Ｃの途上を第３の固定具Ｃにて固定してなるものである。
　【００２６】
　このように、１本のワイヤー３１を組付け網戸装置本体２０の上下に交差させて掛け渡すことにより、組付け網戸装置本体２０のサッシ枠本体１への組付け状態において、第１及び第２の可動部材２３，２４の開閉移動時に、第１及び第２の可動部材２３，２４の上下部に作用する張力の差を相殺して、その移動方向の揺動を防止し、これによって、第１及び第２の可動部材２３，２４の移動を円滑にし、かつ、任意の位置での停止を可能にしている。
　【００２７】
　しかして、上記した組付け網戸装置本体２０をサッシ枠本体１に組付けるには、図１に示すように、前記サッシ枠本体１の網戸組付け枠部９を形成する上横枠４内に一体的に垂下形成した上部取付ヒレ１０に、この取付ヒレ１０に挾持される支持部材４３を介して前記網戸組付け枠部９の上枠を形成する上框用アジャスタ部材５０を別体的に取り付ける。
　【００２８】
　一方、第１及び第２の固定部材２１，２２とサッシ枠本体１の網戸組付け枠部９を形成する左右縦枠２，３との対接面には、図４及び図５に示すように、ファスナ（商品名：マジックテープ）４１，４２がそれぞれ取付けられており、このファスナ４１，４２を介して前記第１及び第２の固定部材２１，２２をサッシ枠本体１の網戸組付け枠部９を形成する左右縦枠２，３に着脱可能に組付けると同時に、第１及び第２の可動部材２３，２４、第１及び第２の網目部材２５，２６をケンドン式に組み付ける。
　【００２９】
　このとき、前記上框用アジャスタ部材５０内には、図１に示すように、第１及び第２の可動部材２３，２４の上端部２３ａ，２４ａと第１及び第２の網目部材２５，２６の上端部２５ｃ，２６ｃが共に移動自在に係合されるとともに、第１及び第２の網目部材２５，２６の上端部２５ｃ，２６ｃには、前記上框用アジャスタ部材５０内に上下動可能に係着させて設けた後述する吊支部材６０のガイドレールを兼ねる断面中空構造の合成樹脂あるいはアルミニウム等の金属からなる長尺な隙間吸収部材４４の下面４４ａが自重にて常に当接し、これによって、前記上框用アジャスタ部材５０内の上部と第１及び第２の網目部材２５，２６の上端部２５ｃ，２６ｃとの間に生じる隙間を吸収し得るようになっている。
　【００３０】
　すなわち、前記上框用アジャスタ部材５０は、図７及び図８に示すように、少なくとも室外側の側壁面５１の上下寸法Ｔを、その下端部５１ａが第１及び第２の網目部材２５，２６の上端部２５ｃ，２６ｃよりも常に下側に位置するような長さの調整代に設定され、これによって、既成のサッシ枠本体１の開口高さ寸法に対する組付け網戸装置本体２０の各構成部材の高さ寸法、特に、第１及び第２の網目部材２５，２６の上端部２５ｃ，２６ｃの高さ寸法ｔ１，ｔ２を吸収して、既成のサッシ枠本体１の開口高さ寸法に合わせる必要なく容易に取り付けられるようになっている。
　【００３１】
　また、前記上框用アジャスタ部材５０内に上下動可能に係着させて設けた断面Ｕ字形の隙間吸収部材４４には、複数個の吊支部材６０が移動可能に係合し、この吊支部材６０は、図９に示すように、上部に設けたローラ６１と、このローラ６１の下部に形成したフック部６２とからなるとともに、前記ローラ６１を隙間吸収部材４４のガイド溝４５に係合させ、かつ、前記フック部６２に第１及び第２の網目部材２５，２６の上部に平行に掛け渡された第１のワイヤー３１Ａ及び第５のワイヤー３１Ｅをそれぞれフック掛けすることにより、前記第１及び第２の網目部材２５，２６を吊支している。
　【００３２】
　一方、前記サッシ枠本体１の網戸組付け枠部９を形成する下横枠５の室内側には、下部取付ヒレ１１が立上り形成されていて、この取付ヒレ１１には、取付部材１２を介して下枠ガイドレール１３が別体的に取り付けられ、この下枠ガイドレール１３のガイド溝１４には、複数個の張支部材７０が移動可能に係合し、この張支部材７０は、図１０に示すように、上部に形成したフック部７１と、このフック部７１の下部に設けたローラ７２とからなるとともに、このローラ７２を下枠ガイドレール１３のガイド溝１４に係合させ、かつ、前記フック部７１に第１及び第２の網目部材２５，２６の下部に平行に掛け渡された第７のワイヤー３１Ｇ及び第１１のワイヤー３１Ｋをそれぞれフック掛けすることにより、前記第１及び第２の網目部材２５，２６を張支している。
　【００３３】
　さらに、前記第１及び第２の可動部材２３，２４の下端部２３ｄ，２４ｄには、図１１に示すように、取付ブロック４６を介して皿ネジ４７，４７にて固定されたガイド部材４８が設けられ、このガイド部材４８の係合部４８ａを前記下枠ガイドレール１３のガイド溝１４に係合させることにより、前記第１及び第２の可動部材２３，２４の開閉移動を円滑にしている。
　【００３４】
　【発明の効果】
　以上の説明から明らかなように、この発明は、窓等のサッシ枠に組付けられる固定部材と可動部材とを備え、この可動部材と前記固定部材との間に、前記可動部材の開閉移動に追従して折畳み伸縮自在なプリーツ状の網目部材を設けてなる構成としてなることから、窓等のサッシ枠に固定部材を固定して組付け、かつ、可動部材を開閉移動自在に組付けるだけで、網戸として利用することができ、しかも、サッシ枠への組付けを容易にかつ簡便に行なうことができる。
　【００３５】
また、組付け網戸装置本体に、網目部材の上下部の折り目間に交互に通される平行なワイヤーを備え、かつこのワイヤーを固定部材と可動部材との間に掛け渡して前記可動部材の移動方向の揺動を防止可能にしてなるワイヤーテンション機構を設けるとともに、このワイヤーテンション機構の前記網目部材上部に通されるワイヤーを前記網戸組付け枠部の上枠に複数個の吊支部材を介して吊支させてなるために、風圧によって網目部材の上端部が揺動することがなく、これによって、網戸組付け枠部の上枠との間の隙間の発生を防止することができる。
【図面の簡単な説明】
　【図１】この発明に係る組付け網戸装置のサッシ枠への取付構造の一実施例を示す図２におけるイ−イ線矢視方向から見た上枠の要部拡大縦断面図。
　【図２】同じく建物の窓部等のサッシ枠への組付け網戸装置本体の組付け状態を示す説明図。
　【図３】図２のロ−ロ線矢視方向から見た下枠の要部拡大縦断面図。
　【図４】図２のハ−ハ線矢視方向から見た左右縦枠の要部拡大横断面図。
　【図５】同じく組付け網戸装置本体の斜視図。
　【図６】同じく組付け網戸装置本体のワイヤーテンション機構を概略的に示す説明図。
　【図７】同じく上框アジャスタ部材による組付け網戸装置本体の高さ寸法吸収状態を示す説明図。
　【図８】同じく上框アジャスタ部材による組付け網戸装置本体の高さ寸法吸収状態を示す説明図。
　【図９】同じくワイヤーの吊支部材の斜視図。
　【図１０】同じくワイヤーの張支部材の斜視図。
　【図１１】図４のニ−ニ線矢視方向から見た下枠への可動部材の組付状態を示す要部拡大縦断面図。
　【符号の説明】
　１・・・サッシ枠本体、
　４・・・上横枠、
　９・・・網戸組付け枠部、
　２０・・・組付け網戸装置本体、
　２１，２２・・・固定部材、
　２３，２４・・・可動部材、
　２５，２６・・・網目部材、
　２５ｃ，２６ｃ・・・上端部、
　４４・・・隙間吸収部材、
　４５・・・ガイド溝、
　５０・・・網戸組付け枠部の上枠（上框アジャスタ部材）、
　６０・・・吊支部材、
　６１・・・ローラ、
　６２・・・フック部、
　Ｘ・・・開閉方向。